(57)【要約】【課題】２つの軸部を切り欠いた１対の切欠面を形成し、かかる切欠面を利用して、前記軸部の結合を確実にしたクローラの連結構造を提供する。【解決手段】隣接する１対のクローラの側部に突出する２つの軸部同士を嵌合させて該クローラを連結するクローラの連結構造において、前記２つの軸部の対面する部位を面状に切り欠いた１対の切欠面と、該切欠面と係合する係合凸部を軸挿入内周側にそれぞれ設けた軸包皮体状のコネクタと、該コネクタの前記係合凸部間の軸間隣接空間に、該空間を圧縮する方向に締付けて前記１対の係合凸部と前記切欠面とを締め付ける締付け要具とを備えたことを特徴とする。【選択図】図１
2011110982.tif 000002
【特許請求の範囲】
【請求項１】
隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合凸部を軸挿入内周側に設けた軸包皮体状のコネクタと、該コネクタの前記軸挿入内周部と軸外周部間の空間を圧縮する方向に締め付けるとともに、前記１対の係合凸部と前記切欠面とを接触させる締付け要具とを備えたことを特徴とするクローラの連結構造。
【請求項２】
前記コネクタを前記軸部の横断方向に２分割して下方側のコネクタにネジ穴を形成し、前記２分割したコネクタの一方側に前記係合凸部を設け、前記切欠面を上方から前記係合凸部を挿入して該切欠面と係合凸部を当接可能に構成し、前記締付け要具を前記コネクタを貫通させて前記ネジ穴に螺合して締め付けることにより、前記係合凸部と前記切欠面とを当接して固定するとともに前記２分割したコネクタ同士を締着することを特徴とする請求項１記載のクローラの連結構造。
【請求項３】
隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合部を両端に設け締付け要具の挿入孔が穿孔されたウェッジと、前記切欠面及びウェッジを覆い下部にネジ穴が設けられた軸包皮体状のコネクタと、前記コネクタの上部から前記ウェッジの挿入孔に挿入され、さらに前記コネクタの下部に形成されたネジ穴に螺合される締付け要具とを備え、前記締付け要具を前記コネクタにネジに螺合させて締付けることにより、前記ウェッジの係合部と前記切欠面とを当接させるように構成したことを特徴とするクローラの連結構造。
【請求項４】
前記１対の切欠面と前記ウェッジの係合部との係合面は、前記２つの軸部に軸方向に移動不能な平面にて形成され、前記締付け要具により前記コネクタとウェッジを該コネクタのネジ穴に螺合させて締め付けることにより、前記平面を当接固定することを特徴とする請求項３記載のクローラの連結構造。
【請求項５】
前記切欠面を前記２つの軸部の対面する部位を面状に且つ軸の先端部まで切欠き、その切欠面に前記ウェッジを切欠面に沿って挿入可能にして、該ウェッジの係合部と前記切欠面とを係合させる締付け要具とを備えたことを特徴とする請求項３記載のクローラの連結構造。
【請求項６】
隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合部を両側部に設けた締付け要具と、前記係合部を覆う軸包皮体状のコネクタとを備え、前記締付け要具を前記コネクタの上端部外周から該コネクタを貫通して前記コネクタの下端部に形成されたネジ穴に螺合させることにより、該締付け要具の係合部と切欠面とを当接させる特徴とするクローラの連結構造。
【発明の詳細な説明】
【技術分野】
【０００１】
本発明は、建設機械等の装軌機械に適用され、隣接する１対のクローラの側部に突出する２つの軸部同士を嵌合させて履板を連結するクローラの連結構造に関する。
【背景技術】
【０００２】
隣接する１対の履板の２つの軸部同士を嵌合させて該履板を連結するクローラの連結構造の１つとして、特許文献１（特表２００４−５３２１６０号公報）がある。
特許文献１においては、２本のピンを備えたエンドコネクタにおいて、該エンドコネクタの使用時には、エンドコネクタのテンションねじのねじ込み過ぎやねじ込み不足等の誤動作から生じる、エンドコネクタの滑りによる軌道分離の危険性を回避するため、２本の横ピンを前記２本のピンに斜めに固定して、該横ピンを前記テンションねじの外面によって支承するように構成されている。
【先行技術文献】
【特許文献】
【０００３】
【特許文献１】特表２００４−５３２１６０号公報
【発明の概要】
【発明が解決しようとする課題】
【０００４】
しかしながら、前記特許文献１において、例えば、図１〜２では、２本のピンを備えたエンドコネクタにおける、該エンドコネクタの滑りによる軌道分離の危険性を回避するため、２本の横ピンを前記２本のピンで固定し、該横ピンをテンションねじの外面によって支承していることから、テンションねじは横ピンによって支持されており、テンションねじと２本の横ピンとは線接触であるため、横ピンへの負荷が大きく破損し易い。横ピンが破損するとテンションねじの固定が無くなるため、エンドコネクタが脱落し易い。
【０００５】
何れにしても、特許文献１においては、テンションねじとピンの組み合わせが、隣接する１対の履板の側部に突出する２つの軸部同士を嵌合させる場合、２つの軸部（ピン部）と切り欠いた１対の切欠面を形成し、かかる切欠面を利用したクローラの連結構造は示されていない。
【０００６】
本発明はかかる従来技術の課題に鑑み、２つの軸部を切り欠いた１対の切欠面を形成し、かかる切欠面を利用して、前記軸部の結合を確実に且つ締付け要具の抜け止めがなされたクローラの連結構造を提供することを目的とする。
【課題を解決するための手段】
【０００７】
本発明はかかる目的を達成するもので、隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合凸部を軸挿入内周側に設けた軸包皮体状のコネクタと、該コネクタの前記軸挿入内周部と軸外周部間の空間を圧縮する方向に締め付けるとともに、前記１対の係合凸部と前記切欠面とを接触させる締付け要具とを備えたことを特徴とする。
【０００８】
特に、かかる発明において、具体的には次のように構成する。
前記コネクタを前記軸部の横断方向に２分割して下方側のコネクタにネジ穴を形成し、前記２分割したコネクタの一方側に前記係合凸部を設け、前記切欠面を上方から前記係合凸部を挿入して該切欠面と係合凸部を当接可能に構成し、前記締付け要具を前記コネクタを貫通させて前記ネジ穴に螺合して締め付けることにより、前記係合凸部と前記切欠面とを当接固定するとともに前記２分割したコネクタ同士を締着する。
【０００９】
また、本発明は、
隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合部を両端に設け締付け要具の挿入孔が穿孔されたウェッジと、前記切欠面及びウェッジを覆い下部にネジ穴が設けられた軸包皮体状のコネクタと、前記コネクタの上部から前記ウェッジの挿入孔に挿入されさらに前記コネクタの下部に形成されたネジ穴に螺合される締付け要具とを備え、前記締付け要具を前記コネクタのネジ穴に螺合させて締付けることにより、前記ウェッジの係合部と前記切欠面とを当接させるように構成したことを特徴とする。
【００１０】
かかる発明において、具体的には次のように構成する。
（１）前記１対の切欠面と前記ウェッジの係合部との係合面は、前記２つの軸部に軸方向に移動不能な平面にて形成され、前記締付け要具により前記コネクタとウェッジを該コネクタのネジ穴に螺合させて締め付けることにより、前記平面を当接し固定する。
（２）前記切欠面を前記２つの軸部の対面する部位を面状に且つ軸の先端部まで切欠き、その切欠面に前記ウェッジを切欠面に沿って挿入可能にして、該ウェッジの係合部と前記切欠面とを係合させる締付け要具とを備える。
【００１１】
また、本発明は、隣接する１対の履板の側部に突出する２つの軸部同士を嵌合させて該履板を連結するクローラの連結構造において、前記２つの軸部の対面する部位を面状に切り欠いた１対の切欠面と、該切欠面と係合する係合部を両側部に設けた締付け要具と、前記係合部を覆う軸包皮体状のコネクタとを備え、前記締付け要具を前記コネクタの上端部外周から該コネクタを貫通して前記コネクタの下端部に形成されたネジ穴に螺合させることにより、該締付け要具の係合部と切欠面とを当接させる特徴とする。
【発明の効果】
【００１２】
本発明によれば、２つの軸部の対面する部位を面状に切り欠いた１対の切欠面と、該切欠面と係合する係合凸部を軸挿入内周側にそれぞれ設けた軸包皮体状のコネクタと、該コネクタの前記係合凸部間の軸間隣接空間に、該空間を圧縮する方向に締付けて前記１対の係合凸部と前記切欠面とを当接させて固定する締付け要具とを備え、具体的には、コネクタを軸部の横断方向に２分割して下方側のコネクタにネジ穴を形成し、前記２分割したコネクタの一方側に係合凸部を設け、切欠面を上方から前記係合凸部を挿入して該切欠面と係合凸部を当接可能に構成し、締付け要具をコネクタに貫通させてネジ穴に螺合して締め付けることにより、前記係合凸部と前記切欠面とを当接固定するとともに前記２分割したコネクタ同士を締着するしたので、
２分割したコネクタの一方側に係合凸部を設け、該係合凸部を上方から切欠面に当接可能に構成することにより、切欠面と係合凸部とを確実に当接できる。
また、前記切欠面を係合凸部で係止して相対回転不能に支持されているので、軸の周り止めが確実にできる。また、締付け要具が脱落しない限りは、コネクタの抜け出しを防止できる。
【００１３】
また、本発明によれば、２つの軸部の対面する部位を面状に切り欠いた１対の切欠面と、該切欠面と係合する係合部を両端に設け、締付け要具の挿入孔が穿孔されたウェッジと、前記切欠面及びウェッジを覆う軸包皮体状のコネクタと、前記コネクタの上部から前記ウェッジの挿入孔に挿入されさらに前記コネクタの下部に形成されたネジ穴に螺合される締付け要具とを備えて、さらに具体的には、１対の切欠面とウェッジの係合部との係合面は、２つの軸部に軸方向に移動不能な平面にて形成され、前記締付け要具により前記コネクタとウェッジを、該コネクタにネジ穴に螺合させて締め付けることにより、前記平面が当接するように構成されたので、
締付け要具をコネクタのネジ穴に螺合させて締付けることにより、ウェッジの係合部と前記切欠面とを確実に当接固定させることができ、さらに軸包皮体状で１体のコネクタで切欠面及びウェッジを覆い、該ウェッジを２つの軸部の切欠面に嵌めこみ、締付け要具によりコネクタとウェッジを該コネクタのネジ穴に螺合させて締め付けることにより、ウェッジの係合部と軸部の切欠面を当接したことで、ウェッジの係合部と軸部の切欠面を緩み無く確実に当接できて、かかる当接により軸の周り止めが確実にできる。さらに、該締付け要具の緩みの発生を防止できる。また、締付け要具が脱落しない限りは、コネクタの抜け出しを防止できる。
【００１４】
また、本発明は、前記切欠面を前記２つの軸部の対面する部位を面状に且つ軸の先端部まで切欠き、その切欠面に前記ウェッジを切欠面に沿って挿入可能にして、該ウェッジの係合部と前記切欠面とを係合させる締付け要具とを備えるように構成すれば、軸にコネクタを嵌めてからウェッジを外から入れることができるため、切欠面とウェッジの係合部との組立てが簡単となる。
【００１５】
また、本発明は、２つの軸部の対面する部位を面状に切り欠いた１対の切欠面と、該切欠面と係合する係合部を両側部に設けた締付け要具と、前記係合部を覆う軸包皮体状のコネクタとを備えたので、切欠面と係合する係合部を両側部に設けた締付け要具に、前記切欠面と係合する係合部を形成して、前記締付け要具を前記コネクタの上端部外周から該コネクタを貫通して前記コネクタの下端部に形成されたネジ穴に螺合させることにより、該締付け要具の係合部と切欠面とを確実に当接させることができる。従って切欠面と係合する係合部を締付け要具に形成できるので構造が簡単になる。
【図面の簡単な説明】
【００１６】
【図１】本発明の第１実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
【図２】本発明の第２実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
【図３】本発明の第３実施例にかかるクローラの連結構造部の構成図で、（Ａ）は前記クローラの連結構造部の斜視図、（Ｂ）は連結構造部の側面図（Ａ矢視図）である。
【図４】本発明の第４実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
【図５】本発明にかかるクローラの部分斜視図である。
【発明を実施するための形態】
【００１７】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１８】
図５は本発明にかかる履帯の部分斜視図である。図５において２００はクローラ（履帯）、５０は履板で、該履板５０が帯状に連結されて前記クローラ２００を構成する。１００は本発明の対象となるクローラの連結構造部である。１は互いに平行な軸で、該軸１，１を連続的にコネクタ３を用いて連結することによりクローラの連結構造部１００を構成している。
【実施例１】
【００１９】
図１は本発明の第１実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
図１において、前記クローラの連結構造部１００は隣接する対をなす履板５０の側部に突出する２つの軸１，１同士を以下のように嵌合させて構成される。
前記２つの軸１，１には、互いに対向する部位の一定長さを面状に切り欠いた１対の切欠面１ａ、１ａが形成されている。この切欠面１ａ、１ａは、後述するコネクタ３ａ，３ｂを嵌め合わせたとき、互いに向かい合うように形成される。
【００２０】
３ａ，３ｂは軸包皮体状（繭状断面）を有するコネクタで、前記軸１の横断方向（軸１、１を横切るように）に２分割してなり、後述するボルト２により一体に締着している。
前記コネクタ３ａ，３ｂの下方側のコネクタ３ｂにネジ穴３ｚを形成し、コネクタの上方側３ａに１対の係合凸部３ｄ、３ｄを設けている。該係合凸部３ｄ、３ｄと前期切欠面１ａ，１ａとの係合面は、前記２つの軸１，１に軸方向に移動不能な平面３ｄ、１ａにて形成されている。
そして、図１（Ｃ）のように上方から前記係合凸部３ｄ、３ｄを挿入し、該係合凸部３ｄ、３ｄが軸１，１の切欠面１ａ，１ａに当接するようにしている。
【００２１】
そして、前記コネクタ３ａには挿入孔（キリ穴）３ｓが形成されており、ボルト２をコネクタ３ａの上部から、挿入孔３ｓを貫通して、前記コネクタ３ｂのネジ穴３ｚに直接締め付けることにより、前記係合凸部３ｄ、３ｄと前記切欠面１ａ，１ａとを当接固定できるとともに、かかる締め付けにより前記２分割したコネクタ３ａ，３ｂ同士を締着する。
【００２２】
以上の第１実施例によれば、コネクタ３ａ，３ｂを軸１，１の横断方向に２分割して下方側のコネクタ３ｂにネジ穴３ｚを形成し、前記２分割したコネクタ３ａの上方側に係合凸部３ｄ、３ｄを設け、切欠面１ａ，１ａを上方から前記係合凸部３ｄ、３ｄに挿入して、前記ボルト２により、コネクタ３ａ，３ｂの挿入孔（キリ穴）３ｓを貫通させてから、ネジ穴３ｚにて締め付け、これにより、該切欠面１ａ，１ａと係合凸部３ｄ、３ｄとを当接させるように構成している。
従って、ボルト２を、前記コネクタ３ａ，３ｂの挿入孔（キリ穴）３ｓを貫通させてから、ネジ穴３ｚにて締め付けているので、ボルト２により、前記２分割したコネクタ３ａ，３ｂ同士を確実に締着することができる。
また、前記のように、ボルト２を、前記コネクタ３ａ，３ｂの挿入孔（キリ穴）３ｓを貫通させてから、ネジ穴３ｚにて締め付けたので、該係合凸部３ｄ、３ｄと前記切欠面１ａ，１ａとを、確実に当接させることができる。
また、前記切欠面１ａ，１ａを係合凸部３ｄ、３ｄで係止して相対回転不能に支持されているので、軸１，１の周り止めを確実に行うことができる。
【００２３】
即ち、かかる実施例においては、切欠面１ａ，１ａと係合凸部３ｄ、３ｄとを当接して軸１，１の回転を阻止しているので、回転部分の強度が前記特許文献１（特表２００４−５３２１６０号公報）よりも強い。
また、前記ボルト２が脱落しない限りコネクタ３ａ，３ｂが抜けるのを防止できる。
【実施例２】
【００２４】
図２は本発明の第２実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
図２において、前記クローラの連結構造部１００は、隣接する覆板５０の側部に突出する２つの軸１，１同士を以下のように嵌合させて構成される。
前記２つの軸１，１には、互いに対向する部位の一定長さを面状に切り欠いた１対の切欠面１ａ、１ａが形成されている。この切欠面１ａ、１ａは、後述するコネクタ３ｂを嵌め合わせたとき、互いに向かい合うように形成される。
【００２５】
３は軸包皮体状（繭状断面）を有するコネクタであり、上部に挿入孔３ｓ（キリ穴）が形成され、下部にネジ穴３ｚが形成される。４はウェッジで、前記切欠面１ａ、１ａと係合する係合部４ｂを両端に設け、中央にボルト２の挿入孔４ｚ（キリ穴）が穿孔されている。そして、図２（Ｃ）にように、前記１対の切欠面１ａ、１ａと前記ウェッジ４の係合部４ｂとの係合面は、前記２つの軸１，１に軸方向に移動不能な平面１ａ、４ｂにて形成されている。
また、前記軸包皮体状のコネクタ３により、前記切欠面１ａ、１ａ及びウェッジ４の係合部４ｂとの係合面を覆っている。
【００２６】
２はボルトで、該ボルト２を、前記コネクタ３の挿入孔３ｓ及びウェッジ４の挿入孔４ｚをそれぞれ貫通して、前記ネジ穴３ｚに螺合させ、該ネジ穴３ｚにて締め付け、かかるボルト２の締付力により、前記軸１，１の切欠面１ａ、１ａとウェッジ４の係合部４ｂ、４ｂとを面接着させる。
【００２７】
以上の第２実施例によれば、１対の切欠面１ａ、１ａとウェッジ４の係合部４ｂとの係合面は、２つの軸１，１に軸方向に移動不能な平面１ａ、４ｂにて形成されている。
従って、ボルト２を、前記コネクタ３の挿入孔３ｓ及びウェッジ４の挿入孔４ｚをそれぞれ貫通して、前記ネジ穴３ｚに螺合させ、該ネジ穴３ｚにて締め付けることによって、該ボルト２の締付力により、前記平面１ａ、４ｂを確実に当接させることができる。
【００２８】
さらに軸包皮体状で１体のコネクタ３で、切欠面１ａ、１ａ及びウェッジ４を覆った上で、該ウェッジ４を２つの軸１，１の切欠面１ａ、１ａに嵌めこみ、前記のように、ボルト２を、コネクタ３の挿入孔３ｓ及びウェッジ４の挿入孔４ｚにそれぞれ貫通して、該ネジ穴３ｚにて締め付けることにより、前記切欠面１ａ，１ａを係合部４ｂ、４ｂで係止して相対回転不能に支持したので、軸１，１の周り止めを確実に行うことができる。
また、切欠面１ａ，１ａと係合部４ｂとを面接触して軸１，１の回転を阻止しているので、回転部分の強度が前記特許文献１（特表２００４−５３２１６０号公報）よりも強い。
さらにボルト２が脱落しない限りは、コネクタ３の抜け出しを防止できる。  
【実施例３】
【００２９】
図３は本発明の第３実施例にかかるクローラの連結構造部の構成図で、（Ａ）は前記クローラの連結構造部の斜視図、（Ｂ）は連結構造部の側面図（Ａ矢視図）である。
図３において、この第３実施例においては、前記切欠面１ａ、１ａを前記２つの軸１，１の対面する部位を面状に且つ軸の先端部まで切欠いている。
そして、その切欠面１ａ、１ａに、前記第２実施例と同様な構成を有するウェッジ４を、切欠面１ａ、１ａに沿って（図３のＺ矢方向）に挿入可能にしている。
また、ボルト２を、コネクタ３の上部に形成された挿入孔（キリ穴）３ｓから前記ウェッジ４の挿入孔（キリ穴）４ｚを貫通して、コネクタ３の下部に穿孔したネジ穴３ｚにねじ込むことにより、ウェッジ４の係合部４ｂと前記切欠面１ａ、１ａとを当接させている。
その他の構成、作用効果は前記第２実施例と同様であり、これと同一の部材は同一の符号で示す。
【００３０】
以上の第３実施例によれば、切欠面１ａ、１ａを前記２つの軸１，１の対面する部位を面状に且つ軸の先端部まで切欠き、その切欠面１ａ、１ａに前記ウェッジ４を、該切欠面１ａ、１ａに沿って挿入可能にして、ボルト２により、前記ウェッジ４の挿入孔（キリ穴）４ｚを貫通して、コネクタ３の下部に穿孔したネジ穴３ｚに締めこむことにより、該ウェッジ４の係合部４ｂと前記切欠面１ａ、１ａとを当接させるので、軸１，１にコネクタ３を嵌めてからウェッジ４を外から入れることができるため、組立が簡単である。
即ち軸１，１の先端部まで切欠いた切欠面１ａ、１ａと、ウェッジ４の係合部４ｂを、軸１，１の先端部から該切欠面１ａ、１ａに一致させて、コネクタ３を嵌めることができ、切欠面１ａ、１ａとウェッジ４の係合部４ｂとの組立てが簡単である。
また、ボルト２を、前記のように、コネクタ３の挿入孔３ｓ及びウェッジ４の挿入孔４ｚをそれぞれ貫通して、前記ネジ穴３ｚに螺合させ、該ネジ穴３ｚにて締め付けることにより、前記切欠面１ａ，１ａを係合部４ｂ、４ｂで係止して相対回転不能に支持したので、軸１，１の周り止めが可能となる。
尚、切欠面１ａ，１ａと係合部４ｂとを当接して軸１，１の回転を阻止しているので、回転部分の強度が前記特許文献１（特表２００４−５３２１６０号公報）よりも強い。
【実施例４】
【００３１】
図４は本発明の第４実施例にかかるクローラの連結構造部の構成図で、（Ａ）は前記クローラの連結構造部の斜視図、（Ｂ）は連結構造部の側面図（Ａ矢視図）、（Ｃ）は連結構造部の断面図である。
図４において、２つの軸１，１には、図４（Ｃ）のように、互いに対向する部位を後述するボルト２の軸線に平行方向に一定長さを面状に切り欠いた１対の切欠面１ａ、１ａが形成されている。
【００３２】
３は軸包皮体状（繭状断面）を有するコネクタであり、上部に挿入孔（キリ穴）３ｓ、下部にネジ穴３ｚが形成される。２はボルトで、その両側には前記切欠面１ａ、１ａとの係合部２ｕ、２ｕを設けている。そして、図４（Ｃ）のように、前記ボルト２を前記コネクタ３の上端部外周から該コネクタ３の挿入孔３ｓ（キリ穴）を貫通して、前記コネクタ３の下端部に形成されたネジ穴３ｚに螺合することにより、前記切欠面１ａ、１ａと係合部２ｕ、２ｕを接触させている。
尚、前記係合部２ｕ、２ｕを、ボルト２の外径のネジ部で構成してもよい。
【００３３】
以上の第４実施例によれば、２つの軸１，１の対面する部位を、ボルト２の軸線に平行方向に一定長さを面状に切り欠いた１対の切欠面１ａ、１ａと、該切欠面１ａ、１ａと係合する係合部２ｕ、２ｕを両側部に設けたボルト２と、前記切欠面１ａ、１ａ及び係合部２ｕ、２ｕを覆う軸包皮体状のコネクタ３とを備えたので、ボルト２に設けた係合部２ｕ、２ｕと切欠面１ａ、１ａとを接触させることができる。
従って前記ボルト２を、前記コネクタ３の上端部外周から該コネクタ３を貫通して前記コネクタ３の下端部に形成されたネジ穴３ｚに螺合させることにより、該ボルト２の係合部２ｕ、２ｕと切欠面１ａ、１ａとを接触させて、軸１，１の周り止めが可能となる。
このように、切欠面１ａ、１ａと係合する係合部２ｕ、２ｕをボルト２に形成できるので構造が簡単であり、さらに部品数が少ないため組立てが簡単になる。
また、切欠面１ａ，１ａと係合部２ｕ、２ｕとを当接して軸１，１の回転を阻止しているので、回転部分の強度が前記特許文献１（特表２００４−５３２１６０号公報）よりも強い。
【産業上の利用可能性】
【００３４】
本発明によれば、２つの軸部を切り欠いた１対の切欠面を形成し、かかる切欠面を利用して、前記軸部の結合を確実にしたクローラの連結構造を提供できる。
【符号の説明】
【００３５】
１  軸
１ａ  切欠面
２  ボルト
２ａ  ネジ
２ｓ，３ａ  挿入孔（キリ穴）
２ｕ  係合部
３，３ａ，３ｂ  コネクタ
３ｂ  係合部
３ｄ  係合凸部
４  ウェッジ
５０  履板
１００  クローラの連結構造部
２００  クローラ
【図１】
2011110982.tif 000003
【図２】
2011110982.tif 000004
【図３】
2011110982.tif 000005
【図４】
2011110982.tif 000006
【図５】
2011110982.tif 000007